(57)【要約】【課題】ドアハンドルの端縁部の裏側に指掛かり用の突出部が設けられていても、加飾カバーを容易に剥がれることがないように、しかも見栄えの良い状態に適切に取り付けることが可能な車両用ドアハンドルの加飾構造を提供する。【解決手段】加飾カバーＣは、ドアハンドル１の表面側および裏面側にそれぞれ取り付けられる表カバー２および裏カバー３に分割され、これら表カバー２および裏カバー３は、ドアハンドル１の端縁部１０の側面領域において接合された接合部４を有し、この接合部４においては、裏カバー３の一端部３ａの外面側に切欠き部３０が形成され、かつ表カバー２の一端部２ａの内面側には、裏カバー３の一端部３ａが進入する切欠き部３０が形成され、表カバー２の一端部２ａは、裏カバー３の切欠き部３０に位置して裏カバー３の一端部３ａの外面側に重なっている。【選択図】  図１
2014109132.tif 000002
【特許請求の範囲】
【請求項１】
端縁部の裏面側に指掛かり用の突出部が形成されている車両用ドアハンドルと、
このドアハンドルの外面に取り付けられる加飾カバーと、
を備えている、車両用ドアハンドルの加飾構造であって、
前記加飾カバーは、前記ドアハンドルの表面側および裏面側にそれぞれ取り付けられる表カバーおよび裏カバーに分割され、
これら表カバーおよび裏カバーは、前記ドアハンドルの端縁部のうち、この端縁部の厚み方向と直交する方向を向く側面領域において互いに接合された接合部を有し、
この接合部においては、前記裏カバーの一端部の外面側に切欠き部が形成され、かつ前記表カバーの一端部の内面側には、前記裏カバーの一端部が進入する切欠き部が形成され、前記表カバーの一端部は、前記裏カバーの切欠き部に位置して前記裏カバーの一端部の外面側に重なっていることを特徴とする、車両用ドアハンドルの加飾構造。
【発明の詳細な説明】
【技術分野】
【０００１】
本発明は、車両用ドアハンドルの加飾構造に関する。
【背景技術】
【０００２】
車両のファッション性を高めたり、あるいはイメージを変えることを目的として、既存の車両に加飾パーツを取り付けることがある。この場合、特許文献１に記載されているようなフィルム製の加飾パーツを用いることができるが、これに代えて、たとえば樹脂成形品の表面にメッキが施された樹脂成形品タイプの加飾カバーを用いれば、フィルム製のものと比較して、質感をより高めることが可能である。
樹脂成形品タイプの加飾カバーを車両用ドアハンドルに取り付ける場合、ユーザの指が触れることなどに起因して、加飾カバーがドアハンドルから容易に剥がれないようにする必要がある。そのためには、加飾カバーをドアハンドルの表面側のみに取り付けるのではなく、加飾カバーの一部が裏面側まで回り込んだ形状とすることが望まれる。
一方、車両用ドアハンドルとしては、このドアハンドルの端縁部の裏側に指を差し入れてからこの端縁部を引き起こすタイプのドアハンドルがある。このようなドアハンドルにおいては、操作者の手が滑らないように、端縁部の裏側に指掛かり用の突出部が設けられているのが通例である。このような場合、ドアハンドルの表面側から裏面側に回り込む形状をもった加飾カバーを作製しようとしても、その樹脂成形時においては、前記の突出部に対応する部分が負角となるため、全体を一体成形することは難しい。
そこで、加飾カバーの分割構造を採用することが考えられるが、この場合には加飾カバーを剥がれ難くするといったことに加え、たとえば加飾カバーの継ぎ目が不体裁に見えないようにするといった点にも配慮する必要がある。
【先行技術文献】
【特許文献】
【０００３】
【特許文献１】特開２０１２−１１６２１９号公報
【発明の概要】
【発明が解決しようとする課題】
【０００４】
本発明は、前記したような事情のもとで考え出されたものであり、ドアハンドルの端縁部の裏側に指掛かり用の突出部が設けられている場合であっても、加飾カバーを容易に剥がれることがないように、かつ見栄えの良い適切な状態に取り付けることが可能な車両用ドアハンドルの加飾構造を提供することを、その課題としている。
【課題を解決するための手段】
【０００５】
上記の課題を解決するため、本発明では、次の技術的手段を講じている。
【０００６】
本発明により提供される車両用ドアハンドルの加飾構造は、端縁部の裏面側に指掛かり用の突出部が形成されている車両用ドアハンドルと、このドアハンドルの外面に取り付けられる加飾カバーと、を備えている、車両用ドアハンドルの加飾構造であって、前記加飾カバーは、前記ドアハンドルの表面側および裏面側にそれぞれ取り付けられる表カバーおよび裏カバーに分割され、これら表カバーおよび裏カバーは、前記ドアハンドルの端縁部のうち、この端縁部の厚み方向と直交する方向を向く側面領域において互いに接合された接合部を有し、この接合部においては、前記裏カバーの一端部の外面側に切欠き部が形成され、かつ前記表カバーの一端部の内面側には、前記裏カバーの一端部が進入する切欠き部が形成され、前記表カバーの一端部は、前記裏カバーの切欠き部に位置して前記裏カバーの一端部の外面側に重なっていることを特徴としている。
【０００７】
このような構成によれば、次のような効果が得られる。
第１に、加飾カバーが、表カバーと裏カバーとに分割された構造を採用しているために、ドアハンドルの端縁部の裏面側に指掛かり用の突出部を有している場合であっても、ドアハンドルの表裏両面側に表カバーと裏カバーとを互いに接合させた状態で取り付けることができる。表面側のみに加飾カバーを取り付けた場合には、この加飾カバーの端部にハンドル操作者の指やその他の物が当たるなどして剥がれ易くなるが、本発明では、そのような不具合を無くすことが可能である。加飾カバーの端部にバリが発生している場合に、操作者の指がバリに触れる虞も解消することが可能である。
第２に、表カバーと裏カバーとの接合部は、ドアハンドルの端縁部の側面に設けられるために、接合部が目立ち難くなり、見栄えをよくすることができる。
第３に、表カバーと裏カバーとの接合部においては、表カバーおよび裏カバーの一方の一端部が他方の切欠き部に進入しているため、接合部の厚みが他の部分の厚みよりも大きくならないようにして表カバーと裏カバーとを重ね合わせることができる。表カバーと裏カバーとを重ね合わせれば、たとえば表カバーと裏カバーとの継ぎ目からドアハンドルの表面が見えてしまうといった不具合はない。
第４に、裏カバーは、ドアハンドルの突出部を覆う部分であるため、変形剥がれを生じる虞があるが、裏カバーの一端部の外面側には、表カバーの一端部が重なっているために、この表カバーの存在によって裏カバーの剥がれを防止する効果も得られる。
第５に、本発明によれば、加飾カバーの表カバーおよび裏カバーのそれぞれは、スライド型などを用いることなく、簡易に樹脂成形可能である。したがって、樹脂成形品タイプの加飾カバーを、低コストで生産することができる。
【０００８】
本発明のその他の特徴および利点は、添付図面を参照して以下に行なう発明の実施の形態の説明から、より明らかになるであろう。
【図面の簡単な説明】
【０００９】
【図１】本発明に係る車両用ドアハンドルの加飾構造の一例を示す要部斜視図である。
【図２】(ａ)は、図１のII−II概略断面図であり、(ｂ)は、(ａ)の要部拡大断面図である。
【発明を実施するための形態】
【００１０】
以下、本発明の好ましい実施の形態について、図面を参照して具体的に説明する。
【００１１】
図１および図２に示す車両用ドアハンドルの加飾構造は、自動車のスライドドア９用のドアハンドル１と、加飾カバーＣとを具備している。
【００１２】
図面において、スライドドア９のアウタパネル９０に設けられた窪み部９１内には、ハンドルベース８が固定して取り付けられており、このハンドルベース８を利用してドアハンドル１の取り付けが図られている。ドアハンドル１は、軸９２を中心として回転操作可能であり、端縁部１０とアウタパネル９０との間に指を差し入れてドアハンドル１を手前側に引き起こすとドア開動作が可能である。このため、端縁部１０の裏側には、指掛かり用の突出部１１が設けられている。ドアハンドル１の裏面側には、操作者の指がさらに奥部に進入することを防止するための凸状壁１９が設けられている。なお、ドアハンドル１のうち、凸状壁１９よりも端縁部１０側の領域の基本形態は、略平板状(突出部１１を除く)である。
【００１３】
加飾カバーＣは、ドアハンドル１の表面側に取り付けられる表カバー２と、ドアハンドル１の裏面側に取り付けられる裏カバー３とに分割されている。表カバー２および裏カバ
ー３は、たとえばＡＢＳ樹脂成形品にメッキを施したものであり、ドアハンドル１への取り付けは、たとえば両面接着テープを用いて行なわれている。
【００１４】
表カバー２および裏カバー３の一端部２ａ，３ａは、接合部４において互いに重なった状態で接合されている。より具体的には、図２（ｂ）によく表われているように、表カバー２および裏カバー３の一端部２ａ，３ａには、切欠き部２０，３０が形成されており、一端部２ａ，３ａは、表カバー２および裏カバー３の他の部分よりも薄肉（厚みが半分）とされている。ただし、表カバー２の切欠き部２０は、表カバー２の内面側であるのに対し、裏カバー３の切欠き部３０は、裏カバー３の外面側である。接合部４においては、表カバー２の切欠き部２０に裏カバー３の一端部３０が進入し、かつ裏カバー３の切欠き部３０に表カバー２の一端部２０が位置するように設定されている。表カバー２の一端部２ａは、裏カバー３の一端部３ａの外面側に重なっている。表カバー２の一端部２ａは、切欠き部３０の全域を塞ぐようには配置されておらず、切欠き部３０の一部は、隙間４０となっている。
このような構成の接合部４は、ドアハンドル１の端縁部１０のうち、この端縁部１０の厚み方向（図２（ａ）の上下方向）と直交する方向を向く側面の領域（ドアハンドル１の表面部や裏面部ではなく、これらの中間領域）に配されている。具体的には、図２（ａ）の符号Ｌａで示す領域のいずれかの位置に配されている。
【００１５】
表カバー２の他端部２１は、ドアハンドル１の端縁部１０からかなり離れた位置にある。また、裏カバー３の他端部３１は、凸状壁１９に当接または接近した位置ある。
図面においては、加飾カバーＣとは別の加飾カバー７が、ハンドルベース８の表面に取り付けられている。この加飾カバー７の存在により、ドアハンドル１の周辺部の見栄えもよくし、装飾性がより高まる。ただし、この加飾カバー７の取付け構造は、本発明の技術対象外である。
【００１６】
次に、前記した車両用ドアハンドルの加飾構造の作用について説明する。
【００１７】
まず、ドアハンドル１の端縁部１０の裏面側には、指掛かり用の突出部１１が形成されているが、加飾カバーＣが表カバー２と裏カバー３とに分割されていることにより、この加飾カバーＣは、ドアハンドル１の表裏両面に跨がって連続したかたちで好適に取り付けられている。ドアハンドル１の端縁部１０やその近傍部分など、操作者が指で触れる頻度が高い箇所には、表カバー２や裏カバー３の端部が段差を生じた状態のままで存在していない。このため、表カバー２および裏カバー３は、剥がれ難い。また、たとえば端部３１にバリが残存していたとしても、このバリが操作者の指に触れないようにすることができる。表カバー２および裏カバー３の樹脂製の本体部は、スライド型などを用いることなく成形可能であり、加飾カバーＣの製造コストを廉価にすることも可能である。
【００１８】
表カバー２と裏カバー３との接合部４は、ドアハンドル１の端縁部１０の側面に設けられているために、接合部４が外部から見え難くなる。また、接合部４においては、表カバー２の一端部２ａが裏カバー３の切欠き部３０に位置し、かつ裏カバー３の一端部３ａが表カバー２の切欠き部２０に位置する構造となっているために、接合部４の厚みが加飾カバーＣの他の部分の厚みよりも大きくならないようにすることもできる。接合部４においては、表カバー２と裏カバー３とが重なっているために、隙間４０からドアハンドル１の表面が見えてしまうといった不具合もない。このようなことから、接合部４が不体裁に見えないようにし、加飾カバーＣを見栄えのよい状態に取り付けることが可能である。
【００１９】
裏カバー３は、ドアハンドル１の突出部１１を覆うように形成されているために、変形剥がれを生じる虞がある。これに対し、裏カバー３の一端部３ａの外面側には、表カバー２の一端部２ａが重なっているために、この表カバー２によって裏カバー３の一端部３ａ
が剥がれを生じないように押さえ込む作用を生じさせることもできる。一方、表カバー２は、日差しや風雨などを直接受けるために、裏カバー３と比較して熱変形を生じ易い。これに対し、隙間４０は、そのような熱変形を許容し、応力を緩和する役割を果たすこととなる。したがって、表カバー２が熱の影響によって大きく歪むといったことも適切に防止される。このようなことから、表カバー２および裏カバー３を、ドアハンドル１に対して、剥がれや変形などを生じ難い状態に安定的に、かつ体裁良く取り付けておくことが可能となる。
【００２０】
本発明は、上述した実施形態の内容に限定されない。本発明に係る車両用ドアハンドルの加飾構造の各部の具体的な構成は、本発明の意図する範囲内において種々に設計変更自在である。
【００２１】
本発明の適用対象となる車両用ドアハンドルは、スライドドア用に限らない。ドアハンドルの横から指を差し入れて操作するものに加え、たとえばドアハンドルの下から指を差し入れるようなタイプのものにも本発明を適用することが可能である。ドアハンドルの具体的な形状も限定されず、要は、端縁部を有し、かつこの端縁部の裏面側に指掛かり用の突出部が形成されているものであれば、本発明の適用対象となる。
加飾カバーは、樹脂成形品にメッキを施したものに限らない。たとえば、樹脂成形品にメッキ以外の処理（たとえば、特殊な塗装など）を施したものとすることが可能である。
本発明でいう「接合」とは、表カバーと裏カバーとを相対移動不能な状態に、接着剤などを用いて固定接着する狭義の意味ではなく、表カバーと裏カバーとが外観上において不連続な状態とならないように繋ぐという広義の意味である。したがって、本発明でいう「接合部」においては、表カバーと裏カバーとの一端部どうしが相対移動不能な状態に接着（固定）されている場合と、そうでない場合とのいずれであってもよい。
【符号の説明】
【００２２】
Ｃ  加飾カバー
１  ドアハンドル（車両用ドアハンドル）
２  表カバー
２ａ  一端部（表カバーの）
３  裏カバー
３ａ  一端部（裏カバーの）
４  接合部
１０  端縁部（ドアハンドルの）
２０  切欠き部（表カバーの）
３０  切欠き部（裏カバーの）
４０  隙間
【図１】
2014109132.tif 000003
【図２】
2014109132.tif 000004